(57)【要約】      （修正有）【課題】折り畳んで携帯し、コンパクトに持ち運ぶことができ、運盤時に収容物の型くずれを防止することができる組み立て式の収容食品ケースを提供する。【解決手段】食品ケースは、長方形状の底板部Ｅと底板部の一対の長辺部それぞれに連続する一対の前後側板部Ｃ、Ｄと底板部の一対の短辺部それぞれに連続する一対の左右側板部Ａ、Ｂとを有し、前後側板部と左右側板部は折り畳まれて底板部に重なるように構成され、さらに前後側板部と左右側板部を底板部に対して起立した状態において、左右側板部が前後側板部よりも高いことを特徴とし、起立した左右側板部に蓋体Ｆが取り付けられる。多様の高さの収容物の収容が可能になり蓋体部を表面裏面両方使用可能にすることにより、収容積量を変えることができる。【選択図】図２
0003230468.tif 000002
【実用新案登録請求の範囲】
【請求項１】
長方形状の底板部と底板部の一対の長辺部それぞれに連続する一対の前後側板部と長方形状の底板部の一対の短辺部それぞれに連続する一対の左右側板部とを有し、前後側板部と左右側板部は折り畳まれて長方形状の底板部に重なるように構成されており、さらに前後側板部と左右側板部を長方形状の底板部に対して起立した状態において、左右側板部が前後側板部よりも高いことを特徴とし、起立した左右側板部に蓋体が取り付けられる折り畳み携帯食品ケース。
【請求項２】
左右側板部と前後側板部を折り畳んだ状態で長方形状の底板部と左右側板部と前後側板部を収容する蓋体をさらに有し、蓋体は、起立した左右側板部の上端部に取りつけられる。請求項１に記載の折り畳み携帯食品ケース。
【請求項３】
蓋体は、その裏面が上を向くように左右側板部に取りつけ可能である折り畳み携帯食品ケース。
【考案の詳細な説明】
【技術分野】
【０００１】  本考案は、コンパクトに折り畳んで持ち運ぶことができる組み立て式食品ケースに関する。
【背景技術】
【０００２】  従来小型の折り畳みケースの場合、折り畳みサンドイッチケース・ランチボックスとしての食品収納容器として知られている。【０００３】  この従来の大きさでは容量として、サンドイッチ、お弁当箱同等の容量、高さに限度があった。
例えば、食パンを購入し持ち運ぶ場合、紙袋．ビニール袋に入れて運ぶ場合が多く．型くずれ、キメの圧縮など、形・風味を損ねてしまっていた。
【先行技術文献】
【特許文献】
【０００４】
【特許文献１】特開２０１７−２０９１２０号公報
【考案の概要】
【考案が解決しようとする課題】
【０００５】  本考案は．上記従来の技術的課題に鑑みて、なされたものでケースの容積を拡大し、コンパクトかつ内容積増大することを目的とする．
さらに組み立て使用時の蓋部の裏面を使用することにより、収納容積を増大し持ち運ぶことができるケースを提供することを目的とする・
【課題を解決するための手段】
【０００６】  本考案に係る折り畳み携帯食品ケースは、長方形状の底板部の一対の短辺部それぞれに連続する一対の左右側板部と長方形状の底板部の一対の長辺部それぞれに連続する一対の前後板部を有し、左右側板部と前後側板部は折り畳まれていて、長方形状の底板部に重なるように構成されており、さらに一対の左右側板部と一対の前後側板部を長方形状の底板部に対して起立した状態において、一対の左右側板部が一対の前後側板部よりも高いことを特徴とし、起立した一対の左右側板部に蓋体が取り付けられる折り畳み携帯食品ケースを特徴とする．
一対の左右側板部と一対の前後側板部を折り畳んだ状態で長方形状の底板部と一対の左右側板部と一対の前後側板部を収容する蓋体をさらに有し、蓋体は起立した一対の左右側板部の上端部に取りつけられる。請求項１に記載の折り畳み携帯食品ケース・蓋体は、その裏面が上を向くように一対の左右側板部に取りつけ可能である。
【考案の効果】
【０００７】本考案の折り畳み携帯食品ケースでは、食パン等の食品を持ち運ぶ時形状を変形させずに運搬でき、折り畳み時Ａ４サイズのカバンでもコンパクトに持ち運ぶことができ、簡単に組み立てることができる．
蓋体を裏面設置し使用することにより収納容積を増大する使い方ができる【０００８】  組立時一対の左右側板部が一対の前後側板部より、高く起立することにより前面側部、後面側部の上部に空間ができ、通気性をよくすることができる．
【図面の簡単な説明】
【０００９】
【図１】  本考案の１つの実施の形態の折り畳み携帯食品ケースの全体図である。
【図２】  上記実施の形態の折り畳み携帯食品ケースの展開図である。
【図３】  上記実施の形態の折り畳み携帯食品ケースの斜視図である．
【図４】  上記実施の形態の折り畳み携帯食品ケースの斜視図である
【図５】  上記実施の形態の折り畳み携帯食品ケースの折り畳み図である。
【考案を実施するための形態】
【００１０】  以下、本考案の実施の形態を図に基づいて説明する．
【００１１】  図４に示すように実態の形態の組み立てた折り畳み携帯食品ケースは、５枚の長方形状の板部Ａ・ＢＣ・Ｄ・Ｅをそれらの長辺部、短辺部、同士の間の少しの隙間をあけて１１〜１４側部接合時ツメ部と１５〜１８側部接合時ツメ穴差込部を結合させ、長方立方体に起立し組み立てたものである。
【００１２】  尚、板材の素材としては、プラスチック材を用いることができる。また、ここで「少しの隙間」とは、Ｅ長方形状の底板部とＡＢ一対の左右側板部・ＣＤ一対の前後側板部を直角に穴き合わせ組み立てる際２１〜２６結合部との間にできる寸法を意味する．
【００１３】  図４に示すように、Ａ右側板部にある２側面接合部の１６側部接合時ツメ穴差込部とＤ前側板部にある１３側部接合時ツメ部を差込み組み立てる．
以下、理解を容易にするために、他三面の表記について、英数字で表記する。組み立てる接合部は１５と１１・１７と１２・１８と１４をツメを差込み組み立てる．
【００１４】  図３に示すように、ケースとして使用時、Ｆ−ａ蓋側表部を天方向に長方立方体にかぶせ、１９．２０蓋部接合時ツメ穴差込部．と９・１０蓋部接合時ツメ部を差込み組み立て使用する．
【００１５】  図３の使用例として．ケースとして使用時、Ｆ−ｂ蓋側裏部を天方向に長方立方体にかぶせ、１９・１２蓋部接合時ツメ穴差込部と９．１０蓋部接合時ツメ部を差込み組み立て使用する場合とする．
【００１７】  図３に示すように．Ａ右側板部とＢ左側板部の高さは．Ｄ前側板部とＣ後側板部の上辺、底辺の長さまでとする。
Ｄ前側板部・Ｃ後側板部の高さは．Ａ右側板部とＢ左側板部の上辺・底辺の長さまでとする。
【００１８】  図４に示すように、Ｅ底側板部に２５・２６接合部を本体内方向に重ねることによりＤ前側板部を折り畳みＥ底側板部とＤ前側板部を平行な状態に折り畳むものとする。
同様にＣ後側板部を２３・２４接合部を本体内方向に重ね折り畳んだＤ前側板部の上部に折り畳み重ねＥ底側板部とＣ後側板部を平行な状態に折り畳むものとする．
【００１９】  図５に示すように、折り畳んだＤ前側板部・Ｃ後側板部の上部にＡ右側板部を２１接合部を本体内方向に重ね、さらにＢ左側板部を２２接合部を本体内方向に重ね、Ｅ底側板部とＢ左側板部は平行な状態に折り畳むものとする。
【００２０】  図５に示すように折り畳み時蓋をかぶせ、コンパクトに携帯することができるものである。
【００２１】  以上のように本考案の形態の折り畳み携帯食品ケースは、平面的な箱形の状態から極めて簡単な組み立て作業によって比較的頑丈なボックス形状に組み立てることができ、また食パン等型くずれしやすい食材を入れた場合持ち運びによる片寄り、型くずれを防止し、ボックス状態に組み立てた時点の左右側板部の高さを前後側板部より高くすることで、内容積の増大を量ったものである。
【００２２】  尚、本考案の形態の折り畳み携帯食品ケースは、Ａ・Ｂ・Ｃ・Ｄ同側板部側面に図４にある２７通気用穴部と同じ形状のものを配列し、ケース内の通気性を高めているものである。
【００２３】  図１に示すように、持ち運ぶものの量により、Ｆ−ａ蓋側表部使用時は携帯食品ケースの蓋として機能し、Ｆ−ｂ蓋側裏部使用時は携帯食品ケースの蓋として機能する他に、食品等を収容し運ぶことができる。
尚、蓋部Ｆ−ｂ使用の際２８〜３１蓋部ヘリ部により運盤による食品の移動を防ぐことができるものである．
【００２４】  図５に示すように折り畳み時．蓋をしてコンパクトに携帯することができるものである。
【付号の説明】
【００２５】Ａ  右側板部
Ｂ  左側板部
Ｃ  後側板部
Ｄ  前側板部
Ｅ  底側板部
Ｆ−ａ  蓋側表部
Ｆ−ｂ  蓋側裏部
１・２・３・４・５・６・７・８      側面接合部
９・１０                            蓋部接合時ツメ部
１１・１２・１３・１４              側面接合時ツメ部
１５・１６・１７・１８              側面接合時ツメ穴差込部
１９・２０                          蓋部接合時ツメ穴差込部
２１・２２・２３・２４・２５・２６  結合部
２７                                通気用穴部
２８・２９・３０・３１              蓋部ヘリ部
【図１】
0003230468.tif 000003
【図２】
0003230468.tif 000004
【図３】
0003230468.tif 000005
【図４】
0003230468.tif 000006
【図５】
0003230468.tif 000007